(57)【要約】【課題】  ロータンクのレバー装置の取付作業を容易にすると共にレバーとロータンクとの隙間を旧来の手回し専用タイプのレバー装置の隙間と変わらない程度まで抑えて見栄えを良くする。【解決手段】  便器に洗浄水を供給するロータンクの外側に取付けられる手回レバーと、その手回レバーの回転操作による回転若しくは内蔵するモータの回転をスピンドルに伝達する動力伝達機構を内蔵してロータンクの内部に取り付けられるスピンドル電動装置とを備えたレバー装置と、局部洗浄装置と、この局部洗浄装置を操作する局部洗浄装置操作用リモコンと、を備えたロータンクのレバー装置において、スピンドル電動装置からロータンク外に延出する接続用コードを局部洗浄装置の背部のピンジャック接続端子に挿入するとともに、手回レバーを電気的に回動させる便器洗浄スイッチを局部洗浄装置操作用リモコンに設けた。【選択図】  図２
2005201046.tif 000002
【特許請求の範囲】
【請求項１】
便器に洗浄水を供給するロータンクの外側に取付けられる手回レバーと、該手回レバーの回転操作による回転若しくは内蔵するモータの回転をスピンドルに伝達する動力伝達機構を内蔵して前記ロータンクの内部に取り付けられるスピンドル電動装置とを備えたレバー装置と、
局部洗浄装置と、
該局部洗浄装置を操作する局部洗浄装置操作用リモコンと、
を備えたロータンクのレバー装置において、
前記スピンドル電動装置からロータンク外に延出する接続用コードを前記局部洗浄装置の背部に電気的に接続するとともに、
前記手回レバーを電気的に回動させる便器洗浄スイッチを前記局部洗浄装置操作用リモコンに設けたことを特徴とするロータンクのレバー装置。
【請求項２】
前記接続用コードの先端にピンジャックを備え、
該ピンジャックを前記局部洗浄装置の背部に設けた接続用ピンジャック挿入端子に挿入することにより前記局部洗浄装置と接続することを特徴とする請求項１記載のロータンクのレバー装置。
【請求項３】
前記スピンドル電動装置に、前記ロータンク側壁の開口よりロータンク外に突出するねじ付カラムを設け、該ねじ付カラムをロータンク外側より螺合固定するナットとスピンドル電動装置の基端部とでロータンクの外壁を挟持してスピンドル電動装置を固定することを特徴とする請求項１または２に記載のロータンクのレバー装置。
【請求項４】
前記ねじ付カラムに前記開口と略同一形状の突起を設け、この突起を前記開口に入り込ませることで前記スピンドル電動装置をロータンクに対して回転不能に係合させたことを特徴とする請求項３記載のロータンクのレバー装置。
【請求項５】
前記接続用コードを、前記ロータンクに設けた空気吸込口から取出したことを特徴とする請求項１〜４にいずれかに記載のロータンクのレバー装置。
【請求項６】
便器に洗浄水を供給するロータンクと、
該ロータンクの外側に取付けられる手回レバーと、該手回レバーの回転操作による回転若しくは内蔵するモータの回転をスピンドルに伝達する動力伝達機構を内蔵して前記ロータンクの内部に取り付けられるスピンドル電動装置とを備えたレバー装置と、
局部洗浄装置と、
該局部洗浄装置を操作する局部洗浄装置操作用リモコンと、
を備えた便器洗浄装置において、
前記スピンドル電動装置からロータンク外に延出する接続用コードを前記局部洗浄装置の背部に電気的に接続するとともに、
前記手回レバーを電気的に回動させる便器洗浄スイッチを前記局部洗浄装置操作用リモコンに設けたことを特徴とする便器洗浄装置。
【請求項７】
前記接続用コードの先端にピンジャックを備え、
該ピンジャックを前記局部洗浄装置の背部に設けた接続用ピンジャック挿入端子に挿入することにより前記局部洗浄装置と接続することを特徴とする請求項６記載の便器洗浄装置。
【発明の詳細な説明】
【技術分野】
【０００１】
本発明は、便器に洗浄水を供給するためのロータンクのレバー装置に係り、特に手動操作及びスイッチ操作のいずれにてもロータンクからの水流出を開始できるよう構成したロータンクのレバー装置に関する。
【背景技術】
【０００２】
従来のロータンクのレバー装置として、実開平６−７６４７３号公報（特許文献１）には、レバー及びモータが共通のスピンドルを駆動するよう構成されており、スピンドルに対するレバーの係合姿勢を旧来の手回し専用タイプのロータンクのレバー装置と同じにすることができるロータンクのレバー装置が記載されている。このロータンクのレバー装置は、スピンドル電動装置がロータンクの外部に配置されているため、見栄えが悪く、また悪戯を受け易い。
【０００３】
このような問題点を解決するために、特開平１１−２００４５２号公報（特許文献２）には、スピンドル電動装置をロータンクの内側に配置したロータンクのレバー装置が記載されている。これを図１６に示す。このスピンドル電動装置をロータンクに固定する構造の詳細を図を参照して以下に説明する。
【０００４】
図において、１はスピンドル電動装置、２はナット、６は接続用コード、２０は取付リング、２８はＣリングである。スピンドル電動装置１の取り付けに際しては、まずねじ付カラム１ａの溝１ｂに接続用コード６を押し込む。そして、接続用コード６の先端側を螺着前のナット２に通し、次いでこのナット２をねじ付カラム１ａの先端に螺着させる。そして、該ねじ付カラム１ａの基端側までナット２を螺進させておく。このねじ付カラム１ａの先端側にパッキン（図示略）を外嵌させる。この場合も、接続用コード６の先端側から該接続用コード６をパッキンに通してパッキンをねじ付カラム１ａに外嵌させる。次に、このねじ付カラム１ａの先端側をロータンク１４の側壁の略正方形状の開口１４ａにロータンク１４の内部側から外方に向って挿入し、ねじ付カラム１ａの先端側をロータンク１４の外部に突出させる。
【０００５】
このねじ付カラム１ａの先端側に取付リング２０を嵌合させる。この取付リング２０は、ロータンク１４の外面に重なるリング形状のものである。この取付リング２０のロータンク対向面には内孔と外周とをつなぐように凹部２６が設けられており、接続用コード６は凹部２６内をひき通される。
【０００６】
この取付リング２０には、開口１４ａに入り込む４個の爪状の突起（以下、爪という。）２２が取付リング２０の内孔周縁部から突設されている。この４個の爪２２が開口１４ａの４隅に入り込むことにより取付リング２０がロータンク１４に対しねじ付カラム１ａの軸心回りに回転不能に係合することになる。
【０００７】
この取付リング２０の内孔には直線状の弦方向部２４が設けられており、ねじ付カラム１ａの先端側に切欠状に設けられた弦方向部１ｃが該弦方向部２４と係合する。前記の通り、爪２２が正方形の開口１４ａの４隅に係合して取付リング２０の回転が阻止されているところから、これら弦方向部２４、１ｃの係合によりねじ付カラム１ａ及びそれと一体のスピンドル電動装置１の回転も阻止される。
【０００８】
開口１４ａに挿通されたねじ付カラム１ａに対し、このように取付リング２０を嵌合させた後、Ｃリング２８をねじ付カラム１ａのネック部１ｄに係合させる。このネック部１ｄは、ねじ付カラム１ａの先端側に周設されたものである。このＣリング２８をネック部１ｄに係合させることにより取付リング２０の抜けが阻止される。次いで、ねじ付カラム１ａに螺着されていたナット２を回し、ねじ付カラム１ａの先端側に向けて螺進させ、該ナット２と取付リング２０とでロータンク１４の外壁を強く挟持する。これにより、レバー装置がロータンク１４に対し堅固に固定される。なお、開口１４ａとねじ付カラム１ａとの間には前記パッキンが介在される。
【０００９】
ナット２を締め込むことにより、取付リング２０がロータンク１４の外面に押し付けられるが、この取付リング２０のロータンク対向面に溝１ｂが設けられており、接続用コード６は、該凹部２６を通ってロータンク１４の外面に沿うように引き回される。この接続用コード６の先端部は制御装置側に接続される。
【００１０】
【特許文献１】実開平６−７６４７３号公報
【特許文献２】特開平１１−２００４５２号公報
【発明の開示】
【発明が解決しようとする課題】
【００１１】
特許文献２のロータンクのレバー装置では、取付リング２０とレバーとの間に接続用コード６が位置する為、レバーとロータンク側壁面との間に隙間ができてしまう。この隙間は僅か５ｍｍ程度であるが、旧来の手回し専用タイプのロータンクのレバー装置から、この装置へと交換した消費者にとってはこの僅か５ｍｍが違和感を与えるものである。また、ナット２を予めねじ付カラム１ａの基端側まで螺進させておく必要があり、取付の手間がかかり、更には、閉空間であるロータンク内部でナット２を締め付けなければならないため、作業性が悪いという問題があった。
【００１２】
本発明は、このような問題点を解決するために、スピンドル電動装置をロータンクの内側に配置したロータンクのレバー装置において、取付作業を容易にすると共にレバーとロータンクとの隙間を、旧来の手回し専用タイプのロータンクのレバー装置の隙間と変わらない程度まで抑え、見栄えを良くすることを目的とする。
【課題を解決するための手段】
【００１３】
便器に洗浄水を供給するロータンクの外側に取付けられる手回レバーと、その手回レバーの回転操作による回転若しくは内蔵するモータの回転をスピンドルに伝達する動力伝達機構を内蔵してロータンクの内部に取り付けられるスピンドル電動装置とを備えたレバー装置と、局部洗浄装置と、この局部洗浄装置を操作する局部洗浄装置操作用リモコンと、を備えたロータンクのレバー装置において、スピンドル電動装置からロータンク外に延出する接続用コードを局部洗浄装置の背部に電気的に接続するとともに、手回レバーを電気的に回動させる便器洗浄スイッチを局部洗浄装置操作用リモコンに設けた。
【００１４】
その接続用コードの先端にピンジャックを備え、ピンジャックを局部洗浄装置の背部に設けた接続用ピンジャック挿入端子に挿入することにより局部洗浄装置と接続する。
【００１５】
また、スピンドル電動装置に、ロータンク側壁の開口よりロータンク外に突出するねじ付カラムを設け、ねじ付カラムをロータンク外側より螺合固定するナットとスピンドル電動装置の基端部とでロータンクの外壁を挟持してスピンドル電動装置を固定させてもよく、さらには、ねじ付カラムの突起をロータンクの開口に入り込ませることでスピンドル電動装置をロータンクに対して回転不能に係合させることができる。なお、接続用コードを、ロータンクに設けた空気吸込口から取出すようにしてもよい。
【００１６】
さらに、便器に洗浄水を供給するロータンクと、ロータンクの外側に取付けられる手回レバーと、その手回レバーの回転操作による回転若しくは内蔵するモータの回転をスピンドルに伝達する動力伝達機構を内蔵してロータンクの内部に取り付けられるスピンドル電動装置とを備えたレバー装置と、局部洗浄装置と、局部洗浄装置を操作する局部洗浄装置操作用リモコンと、を備えた便器洗浄装置において、スピンドル電動装置からロータンク外に延出する接続用コードを局部洗浄装置の背部に電気的に接続するとともに、手回レバーを電気的に回動させる便器洗浄スイッチを前記局部洗浄装置操作用リモコンに設けた。
【００１７】
また、接続用コードの先端にピンジャックを備え、ピンジャックを局部洗浄装置の背部に設けた接続用ピンジャック挿入端子に挿入することにより局部洗浄装置と接続することができる。
【００１８】
上述のようにすることで、スピンドル電動装置をロータンク内に内装するので極めてすっきりすると共に、ロータンクの内壁が邪魔してナットが回しずらいということがなく、極めて作業性が良い。接続用コードをレバー取付用開口から取出す必要がなく、手回しレバーとロータンクとの間の隙間を設けずとも済むので、スピンドル電動装置に取り替えた消費者に違和感を与えることが無い。また、ロータンクに専用の孔を設ける必要が無いので、旧来設置されているロータンクのレバー装置と本発明のレバー装置とを取り替え可能にできる。
【００１９】
また、ねじ付カラムよりも先端にレバー取付部を設け、その取付部に手回しレバーを嵌合固定すれば、手回しレバーを簡単に取りつけることができる。
【００２０】
また、手回しレバー裏側にナットを収納できる凹部を備えれば、手回しレバーでナットを覆い隠すことができ、また手回しレバーとロータンク外壁との隙間を旧来の手回し式のロータンク用レバーとほぼ同一とすることができるので、スピンドル電動装置に取り替えた消費者に違和感を与えることが無い。
【００２１】
さらに、空気吸込口をロータンクを塞ぐタンク蓋に設ければ、孔内に接続用コードの先端から順を追って通す必要が無く、接続用コードを適当にロータンク外側へ投げ出せば済むので、作業性が良い。
【００２２】
また、空気吸込み口をロータンクの背面に設ければ、接続用コードが使用者の目に留まることがなく、美観を損なうことが無い。
【００２３】
一方、接続用コードを保持するコードフックをロータンクに貼り付ければ、接続用コードをロータンクの外側形状に沿って処理することができる。
【００２４】
さらに、コードフックの少なくとも１つをロータンク内に貼付けることで、接続用コードをロータンクとタンク蓋との間に挟み込むことが無く、断線の心配を払拭することができる。
【００２５】
ロータンク内に貼付けられるコードフックは、ロータンク内に蓄積される水の水位より上方に貼り付ければ、接続用コードが水に浸り、漏電するという恐れが無い。
【発明の効果】
【００２６】
本発明によれば、すっきりした外観が得られるとともに、局部洗浄装置操作用のリモコンのスイッチ操作によりレバー装置を電気的に回動させて若しくは手回レバーの直接操作により、便器の洗浄を行なうことができる。
【発明を実施するための最良の形態】
【００２７】
図１に、ロータンクのレバー装置の分解斜視図を示す。図において、１はスピンドル電動装置、２はナット、３はレバー、４はレバー固定用ネジ、５は玉鎖レバー、６は接続用コード、６ａは接続用コードの先端に設けられるピンジャック、７は櫛状リング、８はコード固定用フックである。図２には、本発明のロータンクのレバー装置を取付けた便器の外観斜視図を示す。図において、９は手洗鉢（タンク蓋）、１０は内カバー、１２は機能タンク、１３は止水栓、１４はロータンクである。なお、機能タンク１２は、大小排水弁１６、１７等のタンク内金具を全て組み込んだもので、内カバー１０はその機能カバーの上方開口を覆う為のものである。
【００２８】
次に、図３乃至図１５を用いて、旧来の手回し専用タイプのロータンクのレバー装置から本発明のロータンクのレバー装置への取り替え施工について説明する。
【００２９】
まず、図３から図７を用いて、旧来の手回し専用タイプのロータンクのレバー装置の取外し作業を説明する。
【００３０】
図３に示すようにロータンクへの給水路に設けられる止水栓１３をドライバー３０を用いて右に回し閉める。次に、手回しレバー３’を回してロータンク内の水を排出する（この工程は本来省略しても良いが、施工中にスピンドル電動装置1等を水中に誤って落とすことなどが考えられる為に行う。）
【００３１】
次に、図４に示すように手洗鉢（タンク蓋）9及び内カバー１０をロータンク１４、機能タンク１２から取り外し、図５に示すように手回しスピンドル１ｅ’の先端の玉鎖用レバー５’に取付けられた玉鎖１５ａ，１６ａを取り外す。第６図に示すように手回しスピンドル１ｅ’から櫛状リング７’を上方に抜き、玉鎖レバー５’を手回しスピンドル１ｅ’から引き抜く。（固定状態では、櫛状リング７’は玉鎖レバー５’に設けたネック部５ａ’に櫛状リング７’のリング部７ａ’を係合し、櫛状リング７’中央の突起部７ｂ’をネック部５ａ’に設けた孔（図示無）及び手回しスピンドル１ｅ’に設けた拘束孔１ｆ’に挿入することで手回しスピンドル１ｅ’と玉鎖レバー５’とを回動不能に固定連結している。）
【００３２】
次に図７に示すように手回しスピンドル１ｅ’をロータンク１４に固定しているナット２’、スペーサ２”を外し、手回しスピンドル１ｅ’をロータンク１４から取り外す。
【００３３】
このようにして、旧来の手回し専用タイプのロータンクのレバー装置の取外しが完了する。
【００３４】
次に図８乃至図１５を用いて、本発明のロータンクのレバー装置の取付作業を説明する。
【００３５】
ロータンク１４の側壁の略正方形状の開口１４ａにロータンク１４の内部側から外方に向ってスピンドル電動装置１を挿入し、ねじ付カラム１ａの先端側をロータンク１４の外部に突出させる。このねじ付カラム１ａの根元には開口１４ａと略同一形状の突起１ｇが設けられており、この突起１ｇが開口１４ａに入り込むことによりスピンドル電動装置１がロータンク１４に対しねじ付カラム１ａの軸心回りに回転不能に係合することになる。
【００３６】
開口１４ａに挿通したねじ付カラム１ａにナット２をロータンク１４の外側から螺着し、ねじ付カラム１ａの先端側に向けて螺進させ、ナット２とスピンドル電動装置１の基端部１ｈとでロータンク１４の外壁を強く挟持する。これにより、レバー装置がロータンク１４に対し堅固に固定される。
【００３７】
図９に示すようにねじ付カラム１ａよりも先に設けたレバー固定部１ｉにレバー３を嵌着し、レバー３の側方から固定ネジ４を螺着することで、ねじ付カラム１ａとレバー３とを一体化する。なおレバー３の内側にはナット２よりも大きな径の凹部３ａを形成するので、レバー３によりナット２は覆い隠すことができる。
【００３８】
次に図１０に示すように、スピンドル電動装置１のスピンドル１ｅの先端に玉鎖レバー５を取付ける。これは、櫛状リング７を玉鎖レバー５に設けたネック部５ａに櫛状リング７のリング部７ａを係合し、櫛状リング７中央の突起部７ｂをネック部５ａに設けた孔（図示無）及びスピンドル１ｅに設けた拘束孔１ｆに挿入することで回動不能に固定連結することで行われる。次に図１１に示すように、取り外しておいた玉鎖１５ａ，１６ａを玉鎖５に取付ける。このようにしてスピンドル電動装置１はロータンク１４へ取りつけられる。その後、図１２、図１３に示すように、機能タンク１２の水に浸からない位置にコードフック８を貼付け、スピンドル電動装置１の接続用コード６をコードフック８に掛け、内カバー１０に設けた手洗管挿入孔１０ａ、手洗鉢（タンク蓋）９の背面に設けた空気吸込口９ａから接続用コード６をロータンク１４外部に取出す。図１４、図１５に示すようにロータンク１４の適所（実施例では４個所）にコードフック８を張り付け、また局部洗浄装置１８の背部に接続用ピンジャック挿入端子１８ａが設けられており、このピンジャック挿入端子１８ａに接続用コード８先端に設けたピンジャック６ａを挿入接続することで、局部洗浄装置１８とスピンドル電動装置１との電気的な結線が完了する。なお、スピンドル電動装置１の内部機構は従来と同様に内部に電動モータが備えられ、ギヤ等の動力伝達機構によりスピンドル１ｅにモータの回転力を伝達する。なお、手回しの場合にはレバー３の回転力を伝達する。このように局部洗浄装置１８と接続することで、局部洗浄装置１８操作用リモコン（図示無）に設けた便器洗浄スイッチを操作することで、レバーが電気的に回動され、便器の洗浄を行うことができる。また、レバー３を直接操作しても便器洗浄を行うことはできる。
【００３９】
本実施例においては、内カバー１０、機能タンク１２を設けたが、ロータンク１４にタンク内部金具を直接連結するものにおいては、この内カバー１０、樹脂タンク１２は不要である。
【００４０】
なお、手洗鉢（タンク蓋）９に設けた空気吸込口９ａは、ロータンク内の水が排出される際、空気を吸い込み、タンク内が負圧になるのを防止する為にロータンクには必ず設けられるものである。本発明では、この空気吸込口９ａをロータンク１４の背面とすることで、接続用コードを目立たなくしている。
【図面の簡単な説明】
【００４１】
【図１】本発明のスピンドル電動装置の分解斜視図
【図２】本発明のレバー装置を取付けた状態のロータンク装置
【図３】止水栓１３の止水作業を示す説明図
【図４】本発明のレバー装置を取付ける前の既設のレバー装置取外し作業を示す説明図
【図５】図４のレバー装置の玉鎖取外し作業を示す説明図
【図６】図４のレバー装置の玉鎖レバー取外し作業を示す説明図
【図７】図４のレバー装置のスピンドル取外し作業を示す説明図
【図８】本発明のスピンドル電動装置の取付作業を示す説明図
【図９】本発明の手回しレバーの取付作業を示す説明図
【図１０】本発明の玉鎖レバーの取付作業を示す説明図
【図１１】本発明の玉鎖の取付作業を示す説明図
【図１２】本発明の接続用コードをロータンク外へ取出す作業を示す説明図
【図１３】本発明のレバー装置取付作業を示す説明図
【図１４】本発明の接続用コードをロータンクに沿って処理する作業を示す説明図
【図１５】本発明の接続用コードを局部洗浄装置に接続する作業を示す説明図
【図１６】従来のロータンクのレバー装置を示す分解斜視図
【符号の説明】
【００４２】
１…スピンドル電動装置、２…ナット、３…手回しレバー、４…ネジ、５…玉鎖レバー、６…接続用コード、７…櫛状リング、８…コードフック、９…手洗鉢（タンク蓋）、１０…内カバー、１２…機能タンク、１４…ロータンク、１５…大用排水弁、１６…小用排水弁、１８…局部洗浄装置
【図１】
2005201046.tif 000003
【図２】
2005201046.tif 000004
【図３】
2005201046.tif 000005
【図４】
2005201046.tif 000006
【図５】
2005201046.tif 000007
【図６】
2005201046.tif 000008
【図７】
2005201046.tif 000009
【図８】
2005201046.tif 000010
【図９】
2005201046.tif 000011
【図１０】
2005201046.tif 000012
【図１１】
2005201046.tif 000013
【図１２】
2005201046.tif 000014
【図１３】
2005201046.tif 000015
【図１４】
2005201046.tif 000016
【図１５】
2005201046.tif 000017
【図１６】
2005201046.tif 000018